(57)【要約】【課題】共焦点画像とともに透過光画像および蛍光画像を観察することのできる共焦点顕微鏡システムを簡単な構成より実現する。【解決手段】観察試料から得られる透過光画像と蛍光画像と共焦点画像とを観察する共焦点顕微鏡システムにおいて、少なくともマイクロレンズアレイディスクとピンホールアレイディスクとを有し、複数のビームスポットにより前記観察試料面を走査するとともに、観察画像を撮影するカメラを接続する接続鏡筒を有する共焦点スキャナユニットと、前記観察試料を保持し、この観察試料に透過光画像観察用の観察光および蛍光観察用の励起光を照射するとともに、観察試料から得られる観察光を前記共焦点スキャナユニットなどに出力するポート部を有する顕微鏡と、前記顕微鏡のポート部と前記共焦点スキャナユニットとの間に選択的に挿入され、前記観察試料からの観察光を分岐して、前記共焦点スキャナユニットにおける接続鏡筒に導く迂回光路ユニットとを具備する。【選択図】    図１
2008249965.tif 000002
【特許請求の範囲】
【請求項１】
観察試料から得られる透過光画像と蛍光画像と共焦点画像とを観察する共焦点顕微鏡システムにおいて、
少なくともマイクロレンズアレイディスクとピンホールアレイディスクとを有し、複数のビームスポットにより前記観察試料面を走査するとともに、観察画像を撮影するカメラを接続する接続鏡筒を有する共焦点スキャナユニットと、
前記観察試料を保持し、この観察試料に透過光画像観察用の観察光および蛍光観察用の励起光を照射するとともに、観察試料から得られる観察光を前記共焦点スキャナユニットなどに出力するポート部を有する顕微鏡と、
前記顕微鏡のポート部と前記共焦点スキャナユニットとの間に選択的に挿入され、前記観察試料からの観察光を分岐して、前記共焦点スキャナユニットにおける接続鏡筒に導く迂回光路ユニットとを具備したことを特徴とする共焦点顕微鏡システム。
【請求項２】
前記顕微鏡は、透過光画像観察用の観察光を出射する観察光源と、蛍光観察用の励起光を出射する励起光源とを有し、前記共焦点スキャナユニットは、共焦点画像観察用のレーザ光源を有することを特徴とする請求項１に記載の共焦点顕微鏡システム。
【請求項３】
前記共焦点スキャナユニットの接続鏡筒には、前記観察画像を撮影するカメラを接続したことを特徴とする請求項１または２に記載の共焦点顕微鏡システム。
【請求項４】
前記迂回光路ユニットにおいて、前記顕微鏡のポート部と前記共焦点スキャナユニットとの間に挿入する分岐手段をハーフミラーまたはダイクロイックミラーにより構成するとともに、その光路中に前記観察試料に蛍光退色観察用のレーザ光を照射するレーザ光重畳手段を設けたことを特徴とする請求項１乃至３のいずれかに記載の共焦点顕微鏡システム。
【請求項５】
前記レーザ光重畳手段にレーザ光を導入するレーザ光導入ユニットは、前記観察試料上でこのレーザ光を走査させる操作手段を有することを特徴とする請求項４に記載の共焦点顕微鏡システム。
【発明の詳細な説明】
【技術分野】
【０００１】
本発明は、回転式のピンホールアレイディスクを用いた共焦点顕微鏡システムに関するものであり、共焦点画像とともに透過光画像および蛍光画像を観察することのできる共焦点顕微鏡システムに関するものである。
【背景技術】
【０００２】
従来より、ピンホールアレイディスク（ニポウディスク）型共焦点スキャナを用いた共焦点顕微鏡は良く知られている。
【０００３】
図７は、このような従来の共焦点顕微鏡システムの一例を示す構成図である。図７においては、共焦点スキャナユニット１が倒立顕微鏡２のポート部３に取りけられている。ポート部３の内部にはチューブレンズ３ａが設けられている。
【０００４】
顕微鏡２には、透過光画像観察用の観察光を出射する観察光源４、蛍光画像観察用の励起光を出射する励起光源５、コンデンサレンズ６、対物レンズ７、撮像カメラ８、観察鏡筒９、観察試料１０を載せた試料台１１が取り付けられている。
【０００５】
ミラー部１２は全反射ミラーとスルー状態とを選択可能に構成されている。また、ミラー部１３は、励起光は透過させるとともに観察試料１０からの蛍光を反射するようなダイクロイックミラーと、全反射ミラーとを選択可能に構成されている。ミラーの選択は直線移動機構上にダイクロイックミラーと、全反射ミラーとを同一の角度で配置してスライドさせることによって行う。ミラー部１４は全反射ミラーとハーフミラーとスルー状態とを選択可能に構成されている。その他ミラー１５、ミラー１６、ミラー１７は全反射ミラーである。
【０００６】
また、共焦点スキャナユニット１には、光ファイバ１８を介してレーザ光（励起光）を出射するレーザ光源１９と、共焦点画像を撮像する撮像カメラ２０が取り付けられている。共焦点スキャナユニット１の内部にはマイクロレンズアレイディスク２１とピンホールアレイディスク２２が設けられており、これらは軸受け部２３で連結されており、モータ２４によって同時に回転するように構成されている。
【０００７】
マイクロレンズアレイディスク２１とピンホールアレイディスク２２の中間には、レーザ光源１９からのレーザ光（励起光）は透過し、観察試料１０からの蛍光は反射するようなダイクロイックミラー２５が配置されており、さらに全反射ミラー２６、２７、２８が図のように配置されている。
【０００８】
また、光ファイバー１８の先端から出射される光を平行光に変換するコリメートレンズ２９と、観察画像を撮像カメラ２０に結像させる一組のリレーレンズ３０、３１がそれぞれ図のように配置されている。
【０００９】
観察光源４からの光はミラー１６およびコンデンサレンズ６を介して観察試料１０を照明し、観察試料１０からの透過光は、スルー状態のミラー部１２を透過し、全反射ミラーが選択されたミラー部１３によって反射される。
【００１０】
反射された透過光を肉眼で観察する場合には、ミラー部１４で全反射ミラーを選択することによって、透過光が観察鏡筒９に導かれ、観察鏡筒９内の図示しない接眼レンズによって肉眼での観察が可能となる。
【００１１】
また、透過光を撮像カメラ８で撮影する場合には、ミラー部１４をスルー状態にすることによって、透過光画像が撮像カメラ８の結像レンズに結像される。
【００１２】
さらに、ミラー部１４をハーフミラーにすることによって、目視観察と撮像カメラ８での観察を同時に行うことができる。
【００１３】
蛍光観察時には、ミラー部１３はダイクロイックミラーを選択し、さらにミラー部１２はスルー状態にする。このため、励起光源５からの励起光はミラー１７で反射され、ミラー部１３のダイクロイックミラーおよびミラー部１２を透過して、対物レンズ７を介して観察試料１０に照射される。
【００１４】
観察試料１０から発せられた蛍光は同じ光路を戻るが、ミラー部１３のダイクロイックミラーにより反射される。したがって、この蛍光画像は図示しないバリアフィルタなどを通った後に、前記と同様の方法により観察鏡筒９や撮像カメラ８に導かれ、肉眼観察や撮影が行われる。
【００１５】
また、共焦点画像を得る際には、顕微鏡２の観察光源４、励起光源５を消して、ミラー部１２を全反射ミラー状態にする。レーザ光源１９からのレーザ光はコリメートレンズ２９によって平行光にされた後に、ミラー２８、２７で反射されてマイクロレンズアレイディスク２１へと向けられる。
【００１６】
ここで、レーザ光はマイクロレンズアレイディスク２１の個々のマイクロレンズによって複数のビームスポットに集光される。この光はダイクロイックミラー２５を透過して、ピンホールアレイディスク２２上の対応する個々のピンホールに集光される。ピンホールを通過した光は、ポート部３内のチューブレンズ３ａによって平行光とされ、ミラー１２で反射されて対物レンズ７を介して観察試料１０に照射される。
【００１７】
観察試料１０からの蛍光は同じ光路を戻り、再び個々のピンホールを通過した後に、ダイクロイックミラー２５で反射され、ミラー２６、リレーレンズ３０、３１を介して撮像カメラ２０の撮像素子上に結像する。
【００１８】
ここで、前記マイクロレンズアレイディスク２１とピンホールアレイディスク２２が高速回転することによって、前記観察試料１０上の個々のビームスポットが観察試料上の焦点面を走査し、これに伴って、観察試料の焦点面からの蛍光も撮像素子上を走査する。また、焦点面以外の光は同様の光路を通ることができず、ほとんどピンホールを通過できない。これによって焦点面からの蛍光画像（共焦点画像）が撮像カメラ２０で撮像される。
【００１９】
また、共焦点画像と蛍光画像とを共通の観察部により観察するものとして、次のような特許文献がある。
【００２０】
【特許文献１】実用新案登録第２５７０６３１号公報
【発明の開示】
【発明が解決しようとする課題】
【００２１】
しかしながら、図７のような構成の共焦点顕微鏡システムでは、透過画像や蛍光画像のような通常の顕微鏡画像と共焦点画像とをカメラにより撮影するためには、撮像カメラが２台必要になるか、それぞれの観察時に付け替えることが必要になる。このため、高価な高感度カメラを２台搭載すると、システムが高価になるという問題がある。また、カメラ１台を付け替えて使用すると、交換が煩わしく実用的では無いという問題がある。また、通常の顕微鏡画像を、共焦点スキャナユニットを透過させて撮像カメラで撮影すると、光はピンホールアレイディスクの開口率分しか透過せず、２桁程度暗い画像となってしまう。
【００２２】
また、上記の特許文献１に記載された装置は、透過光画像を観察するものではないとともに、蛍光画像を観察するための励起光は共焦点スキャナを介して観察試料に照射されており、蛍光画像は半共焦点の画像となってしまう。
【００２３】
本発明は上記のような従来装置の欠点をなくし、共焦点画像とともに透過光画像および蛍光画像を観察することのできる共焦点顕微鏡システムを簡単な構成より実現することを目的としたものである。
【課題を解決するための手段】
【００２４】
本発明の共焦点顕微鏡システムは、請求項１においては、観察試料から得られる透過光画像と蛍光画像と共焦点画像とを観察する共焦点顕微鏡システムにおいて、
少なくともマイクロレンズアレイディスクとピンホールアレイディスクとを有し、複数のビームスポットにより前記観察試料面を走査するとともに、観察画像を撮影するカメラを接続する接続鏡筒を有する共焦点スキャナユニットと、
前記観察試料を保持し、この観察試料に透過光画像観察用の観察光および蛍光観察用の励起光を照射するとともに、観察試料から得られる観察光を前記共焦点スキャナユニットなどに出力するポート部を有する顕微鏡と、
前記顕微鏡のポート部と前記共焦点スキャナユニットとの間に選択的に挿入され、前記観察試料からの観察光を分岐して、前記共焦点スキャナユニットにおける接続鏡筒に導く迂回光路ユニットとを具備したことを特徴とする。
【００２５】
請求項２においては、請求項１の共焦点顕微鏡システムにおいて、前記顕微鏡は、透過光画像観察用の観察光を出射する観察光源と、蛍光観察用の励起光を出射する励起光源とを有し、前記共焦点スキャナユニットは、共焦点画像観察用のレーザ光源を有することを特徴とする。
【００２６】
請求項３においては、請求項１または２に記載の共焦点顕微鏡システムにおいて、前記共焦点スキャナユニットの接続鏡筒には、前記観察画像を撮影するカメラを接続したことを特徴とする。
【００２７】
請求項４においては、請求項１乃至３のいずれかに記載の共焦点顕微鏡システムにおいて、前記迂回光路ユニットにおいて、前記顕微鏡のポート部と前記共焦点スキャナユニットとの間に挿入する分岐手段をハーフミラーまたはダイクロイックミラーにより構成するとともに、その光路中に前記観察試料に蛍光退色観察用のレーザ光を照射するレーザ光重畳手段を設けたことを特徴とする。
【００２８】
請求項５においては、請求項４に記載の共焦点顕微鏡システムにおいて、前記レーザ光重畳手段にレーザ光を導入するレーザ光導入ユニットは、前記観察試料上でこのレーザ光を走査させる操作手段を有することを特徴とする。
【発明の効果】
【００２９】
本発明の共焦点顕微鏡システムによれば、共通の観察鏡筒により、共焦点画像とともに透過光画像および蛍光画像を観察することができる。言い換えれば、観察試料から得られる透過光画像と蛍光画像と共焦点画像とを１台の撮像カメラにより、容易に撮影することができる。また、顕微鏡のポート部とカメラとを同軸上に配置することができるので、光軸のずれに対して強いシステムとすることができる。さらに、顕微鏡のポート部とカメラとを同軸上に配置することにより、反射するミラー枚数が共焦点画像、顕微鏡画像ともに偶数枚となるため、鏡像にならない利点がある。
【発明を実施するための最良の形態】
【００３０】
以下、図面を用いて、本発明の共焦点顕微鏡システムの一実施形態について説明する。
【００３１】
図１は、本発明の共焦点顕微鏡システムの一実施例を示す構成図である。図において、前記図７と同様のものは同一符号を付して示す。また、図２、図３は共焦点スキャナユニットにおける励起光光路の配置状態を示す概略説明図（平面側および背面側）である。
【００３２】
図１〜図３において、共焦点スキャナユニット３３は迂回光路ユニット３４を介して顕微鏡２のポート部３に取りけられている。ポート部３の内部にはチューブレンズ３ａが設けられている。前記顕微鏡２には観察光源４、励起光源５、コンデンサレンズ６、対物レンズ７、観察鏡筒９、観察試料１０を載せた試料台１１が取り付けられている。本実施例では撮像カメラ８は用いない。
【００３３】
ミラー部１２は全反射ミラーとスルー状態とを選択可能に構成されている。また、ミラー部１３は、励起光は透過させるとともに観察試料１０からの蛍光を反射するようなダイクロイックミラーと、全反射ミラーとを選択可能に構成されている。ミラー部１４は全反射ミラーとハーフミラーとスルー状態とを選択可能に構成されている。その他ミラー１５、ミラー１６、ミラー１７は全反射ミラーである。
【００３４】
共焦点スキャナユニット３３のファイバコネクタ３７には、レーザ光（励起光）を出射するレーザ光源３５が光ファイバ３６を介して接続されている。ファイバコネクタ３７の前方には、ガウシアンビームを均一にする均一化光学系３８が配置されている。
【００３５】
さらに、共焦点スキャナユニット３３には、励起光の導入光学系部３９が設けられており、ミラー４０、励起光フィルタ４１、コリメートレンズ４２、ミラー４３が図２、図３のように配置されている。これらの導入光学系３９は図１中に示す共焦点スキャナユニット３３の背面側に位置している。
【００３６】
共焦点スキャナユニット３３には、導入光学系部３９からの光をマイクロレンズアレイディスク４５方向に反射するミラー４４が設けられている。また、マイクロレンズアレイディスク４５とピンホールアレイディスク４６とは対向するように、軸受け４８で支持されており、さらにモータ４７で回転可能に構成されている。
【００３７】
また、マイクロレンズアレイディスク４５とピンホールアレイディスク４６の間にはダイクロイックミラー５５が設けられている。さらに、観察画像を導くために、ミラー５６、５８とリレーレンズ５７が設けられている。
【００３８】
迂回光路ユニット３４には、手動もしくは電動で切り替えられる分岐手段４９が設けられており、スルー状態と図示のような反射状態が選択可能に構成されている。分岐手段４９はリニアガイド等の直線移動機構上に設置され、光路挿入時の反射角度の再現性が得られるようになっている。さらに、迂回光路ユニット３４には、リレーレンズ５０、５２、５４と反射ミラー５１、５３が設けられている。
【００３９】
また、共焦点スキャナユニット３３側には、手動もしくは電動で切り替えられる光切り替え部５９が設けられており、図のように光路を切り替え可能になっている。光を切り替えた場合を実線と破線で示す。さらに共焦点スキャナユニット３３には接続鏡筒６０を介して観察カメラ６１が接続されている。また、接続鏡筒６０にはバリアフィルタ６２とリレーレンズ６３が設けられている。
【００４０】
次に、本構成で共焦点画像を取得する場合を説明する。
レーザ光源３５からの光は、光ファイバ３６を介してファイバコネクタ３７から照射される。このレーザ光は、光ファイバ３６の先端から光ファイバ３６の開口数で広がる概ねガウシアンビームとなる。このレーザ光は均一化光学系３８を通ることによって、概ねフラットな強度分布を持つように変換される。
【００４１】
さらにこの光は、導入光学系部３９に導かれ、ミラー４０で反射し、励起光フィルタ４１で不要な波長成分を取り除き、コリメートレンズ４２で平行光に変換され、ミラー４３で反射する。この光は共焦点スキャナユニット３３のミラー４４で反射されて、マイクロレンズアレイディスク４５に導入される。
【００４２】
マイクロレンズアレイディスク４５のマイクロレンズを通過した光は、ダイクロイックミラー５５を透過し、対応するピンホールディスクアレイ４６のピンホールを通るように集光される。
【００４３】
この部分の作用を図４で模式的に示す。図４ではミラー類は省略しており、レンズもまとめて表示している。また、共焦点画像取得時には、分岐手段４９はスルー状態が選択されており、ピンホールを出た光は分岐手段４９を透過して、ポート３内部のチューブレンズ３ａによって平行光とされ、全反射状態が選択されたミラー１２で反射されて、対物レンズ７によってそれぞれ観察試料１０に集光される。
【００４４】
観察試料１０からの蛍光は同じ光路を戻り、再び個々のピンホールを通過した後に、この蛍光を反射するダイクロイックミラー５５で反射され、ミラー５６、５８によって反射される。また、共焦点画像取得時には光切り替え部５９は図の破線で示す状態が選択され、蛍光はバリアフィルタ６２で必要な蛍光成分のみがフィルタされて、観察カメラ６１へ導かれる。また、ここで一組のリレーレンズ５７，６３によってこれらの蛍光は観察カメラ６１の撮像素子に結像される。
【００４５】
また、ここで前記のマイクロレンズアレイディスク４５とピンホールアレイディスク４６が図４に示すように高速回転することによって、前記観察試料１０の焦点面上の個々の焦点が試料上を走査し、これに伴って、試料の焦点面からの蛍光も撮像素子上を走査する。また、焦点面以外の光は同様の光路を通ることができず、ほとんどピンホールを通過できない。これによって焦点面からの蛍光画像（共焦点画像）が撮像カメラ６１で撮像される。
【００４６】
次に、透過光画像を取得する場合を説明する。
観察光源４からの光はミラー１６によって反射された後に、コンデンサレンズ６によって観察試料１０を照明し、観察試料１０からの透過光は、全反射ミラーが選択されたミラー部１２で反射されて、ポート部３へ向かう。ポート部３のチューブレンズを通過した後に、全反射状態が選択された分岐手段４９によって迂回光路ユニット３４を通るように分岐される。
【００４７】
また、この場合光切り替え部５９では実線で示すミラーの状態が選択されるため、分岐手段４９で分岐された光は、ミラー５１、ミラー５３、光切り替え部５９で反射して、撮像カメラ６１へ導かれる。透過光画像を取得する際にはバリアフィルタ６２は取り除かれる。また、レンズ３aによる像は、二組のリレーレンズ５０，５２と５４，６３によって、観察カメラ６１の撮像素子に結像される。ここで一組のリレーレンズ５０、５２は、迂回光路ユニット３４を通過することによって、伸びた光路分を補正するように構成されている。
【００４８】
また、蛍光画像取得時には、ミラー部１２、１３はダイクロイックミラーを選択する。この場合、励起光源５からの光はミラー１７で反射され、ミラー部１２、１３のダイクロイックミラーを透過して、対物レンズ７によって観察試料１０を照明する。観察試料１０から発せられた蛍光は同じ光路を戻るが、ミラー部１２のダイクロイックミラーで反射することによって、ポート部３へ向かう。ポート部３のチューブレンズを通過した後に、全反射状態が選択された分岐手段４９によって、迂回光路ユニット３４を通るように分岐される。
【００４９】
この場合、光切り替え部５９では実線で示すミラーの状態が選択されるため、分岐手段４９で分岐された光は、ミラー５１、ミラー５３、光切り替え部５９で反射して、撮像カメラ６１へ導かれる。蛍光画像を取得する際には、取得したい蛍光のみを透過するバリアフィルタ６２が挿入される。また、レンズ３aによる像は、二組のリレーレンズ５０，５２と５４，６３によって、観察カメラ６１の撮像素子に結像される。ここで一組のリレーレンズ５０、５２は、迂回光路ユニット３４を通過することによって、伸びた光路分を補正するように構成されている。
【００５０】
なお、撮影した共焦点画像と、蛍光画像および透過光画像とでは、後者の方がリレーレンズを一組多く用いているために、画像が共焦点画像に対して１８０度回転した画像となっている。これを補正するために、光路の途中にダハプリズムやシュミットプリズムなどを挿入しても良い。また、撮影された画像を電子的に回転させ、回転画像を作成しても良い。
【００５１】
図５は、本発明の共焦点顕微鏡システムの他の実施例を示す構成図である。図において、前記図１と同様のものは、同一符号を付して示す。図に示す例は、図１の迂回光路ユニット３４の途中に、着脱自在なレーザ光導入ユニット６４およびレーザ光重畳手段７１を取り付けたものである。レーザ光導入ユニット６４には、光ファイバ６６を介してレーザ光源６５の光が導かれる。また、レーザ光導入ユニット６４には、コリメートレンズ６７、光を走査するためのガルバノミラー６８，６９、Ｆθレンズ７０が設けられている。また、迂回光路ユニット３４には挿入自在なレーザ光重畳手段（ミラー）７１が設けられている。レーザ光重畳手段７１はリニアガイド等の直線移動機構上に設置され、光路挿入時の反射角度の再現性が得られるようになっている。また、本実施例の分岐手段４９には、ハーフミラーまたはダイクロイックミラーが装着されている。
【００５２】
このように構成した共焦点顕微鏡システムでは、前記した方法で共焦点画像を観察しながら、レーザ光導入ユニット６４よりレーザ光を導入する。レーザ光源６５のレーザ光は光ファイバ６６を介して、レーザ光導入ユニット６４に導かれる。このレーザ光はコリメートレンズで平行光に変えられ、二つのガルバノミラー６８、６９で自在に走査され、Ｆθレンズ７０によってリレーレンズの５２の結像位置に結像する。
【００５３】
この光はリレーレンズ５２、５０でとミラー５１と分岐手段４９のハーフミラーまたはダイクロイックミラーで、顕微鏡のポート３に導入される。Ｆθレンズの結像した光はリレーレンズ５２、５０でチューブレンズ３ａの結像位置にリレーされて、平行光に変えられる。この光は、共焦点画像のレーザ光と同様の光路を通り、対物レンズ７によって観察試料１０に焦点を結ぶ。
【００５４】
ここで、二つのガルバノミラー６８、６９で観察試料１０の所望の位置に光を照射することによって、観察試料１０に蛍光退色を起こさせて（フォトブリーチング）、共焦点画像によって、この退色した蛍光の回復を観察することができる（ＦＲＡＰ法）。
【００５５】
顕微鏡のポート一つでフォトブリーチングと共焦点観察を行うことができ、簡便である。
また、前記図１の使用方法以外に、迂回光路ユニットの光路が有効活用できる。
【００５６】
図６は、本発明の共焦点顕微鏡システムの他の実施例を示す構成図である。図において、前記図１と同様のものは、同一符号を付して示す。図に示す例は、前記図１の迂回光路ユニット３４を取り外した際に、迂回光路ユニット３４からの光を共焦点スキャナユニット３３に戻すポート口７２に、第２の撮像カメラ７４を取り付けた例である。
【００５７】
ポート口７２には、着脱自在な接続鏡筒７３を介して第２の撮像カメラ７４が設けられている。また、接続鏡筒７３にはバリアフィルタ７５と結像レンズ７６が設けられている。また、光切り替え部５９では破線で示す部分に、ダイクロイックミラーが取り付けられている。さらに、ポート３には迂回光路ユニット３４の代わりに、スペーサ７７が取り付けられている。
【００５８】
図６に示す例では、撮像カメラ６１により、図１で示した共焦点画像取得の方法で画像が撮影される。さらに、観察試料１０からの光の別の波長の蛍光を観察する際には、取得する蛍光波長を透過する性質の光切り替え部５９のダイクロイックミラーで、この蛍光は第２の撮像カメラ７４に向けられる。
【００５９】
この蛍光は、バリアフィルタ７５で必要な蛍光のみをフィルタされた後に、結像レンズ７６によって、第２の撮像カメラ７４内部の結像素子に結像される。また、このとき撮影される第２の撮像カメラ７４の画像は、第１の撮像カメラ６１の鏡像となる。従って、第２の撮像カメラ７４の前に、像回転プリズム（ドーブプリズム、台形プリズム）を挿入しても良い。また、第２の撮像カメラ７４からの画像信号を電子的に反転させても良い。また、第２の撮像カメラ７４の代わりに接眼アイピースを設けても良い。
【００６０】
第２の撮像カメラと、迂回光路の光軸を共通化したので、構成が簡便である。また、二つのカメラの画像が反転画像では無いので重ね合わせができる。また、２つの波長の蛍光画像を撮影する場合に、バリアフィルタ６２を切り替えると波長ごとの同時性が失われるが、本方式では２台のカメラで同時に取り込むので、タイムラグの問題は生じない。
【００６１】
以上説明したように、本発明の共焦点顕微鏡システムによれば、顕微鏡と共焦点スキャナユニットとの間に分岐手段を設け、観察試料から得られる観察光を共焦点スキャナユニットの前で選択的にバイパスさせ、観察鏡筒（撮像カメラ）に入射させるようにしているので、共通の観察鏡筒（撮像カメラ）により、共焦点画像とともに透過光画像および蛍光画像を観察することができる。
【００６２】
また、顕微鏡のポート部とカメラとを同軸上に配置することにより、反射するミラー枚数が共焦点画像、顕微鏡画像ともに偶数枚となるため、鏡像にならない利点がある。
【００６３】
なお、上記の説明においては、ミラーや分岐手段を切り替える手段として、複数のミラー等を一列に並べ、リニアガイド等の直線移動機構によりスライドさせる場合を例示したが、これらの切り替え手段はこのような構成に限られるものではない。
【図面の簡単な説明】
【００６４】
【図１】本発明の共焦点顕微鏡システムの一実施例を示す構成図である。
【図２】図１の共焦点顕微鏡システムにおける励起光光路の平面側概略説明図である。
【図３】図１の共焦点顕微鏡システムにおける励起光光路の背面側概略説明図である。
【図４】図１の共焦点顕微鏡システムにおける共焦点スキャナユニットの動作を模式的に示す説明図である。
【図５】本発明の共焦点顕微鏡システムの他の実施例を示す構成図である。
【図６】本発明の共焦点顕微鏡システムの他の実施例を示す構成図である。
【図７】従来の共焦点顕微鏡システムの一例を示す構成図である。
【符号の説明】
【００６５】
１、３３        共焦点スキャナユニット
２              顕微鏡
３              ポート部
４              観察光源
５              励起光源
７              対物レンズ
８、２０、６１、７４  撮像カメラ
９、６０、７３  観察鏡筒
１０            観察試料
２１、４５      マイクロレンズアレイディスク
２２、４６      ピンホールアレイディスク
２５、５５      ダイクロイックミラー
３４            迂回光路ユニット
４９            分岐手段
５９            光切り替え部
６４            レーザ光導入ユニット
７１            レーザ光重畳手段
７７            スペーサ
【図１】
2008249965.tif 000003
【図２】
2008249965.tif 000004
【図３】
2008249965.tif 000005
【図４】
2008249965.tif 000006
【図５】
2008249965.tif 000007
【図６】
2008249965.tif 000008
【図７】
2008249965.tif 000009